(57)【要約】【課題】各単位回路の構成を簡素化する。【解決手段】駆動トランジスタＴDRは、電圧供給線１７と電気光学素子Ｅとの間に介在する。スイッチング素子ＳＷは、設定期間ＰSTにて駆動トランジスタＴDRをダイオード接続する。容量素子Ｃは、駆動トランジスタＴDRのゲートに接続された第１電極Ｅ1と信号線１５に接続された第２電極Ｅ2とを含む。設定期間ＰSTは第１期間Ｐ1と第２期間Ｐ2とを含む。第１期間Ｐ1では、信号線１５のデータ信号Ｄ[j]が電圧Ｖ0に設定されることでゲートの電圧が上昇して駆動トランジスタＴDRはオン状態となる。第２期間Ｐ2では、データ信号Ｄ[j]がデータ電圧Ｖ[i]に設定されることで、データ電圧Ｖ[i]に応じた電圧が容量素子Ｃに保持される。設定期間ＰSTの経過後の駆動期間ＰDRにおいては、電気光学素子Ｅが、容量素子Ｃに保持された電圧に応じた階調に制御される。【選択図】      図３
2008122748.tif 000002
【特許請求の範囲】
【請求項１】
駆動電圧または駆動電流が供給される被駆動素子を駆動する電子回路であって、
信号線と、
前記信号線に接続された単位回路と、
電圧供給線とを具備し、
前記単位回路は、
ゲート端子と第１端子と前記電圧供給線に接続された第２端子と前記第１端子および前記第２端子の間に形成されたチャネルとを備えた駆動トランジスタと、
前記駆動トランジスタの前記ゲート端子と前記第１端子および前記第２端子の何れか一方との電気的な接続を制御するスイッチング素子と、
前記駆動トランジスタの前記ゲート端子に接続された第１電極と前記信号線に接続された第２電極とを備える容量素子とを含み、
前記第１端子と前記第２端子との導通状態は、前記ゲート端子に印加されるゲート電圧によって制御され、
前記スイッチング素子がオフ状態である期間の少なくとも一部である第１期間において、前記信号線に第１信号が供給されることによって前記ゲート電圧の電圧レベルは第１電圧レベルから第２電圧レベルに変化し、
前記信号線に第２信号が供給される期間の少なくとも一部である第２期間において、前記スイッチング素子はオン状態に設定され、
前記第２期間の少なくとも一部において、前記ゲート電圧の電圧レベルは第３電圧レベルに設定される
ことを特徴とする電子回路。
【請求項２】
前記ゲート電圧の電圧レベルが前記第２電圧レベルに設定された後に前記スイッチング素子がオン状態とされることにより、前記ゲート電圧が前記第３電圧レベルに変化する
請求項１に記載の電子回路。
【請求項３】
前記ゲート電圧が前記第２電圧レベルとされるときの前記第１端子と前記第２端子との間の導通状態は、前記ゲート電圧が前記第１電圧レベルとされるときの前記第１端子と前記第２端子との間の導通状態よりも高い導通状態である
請求項１または請求項２に記載の電子回路。
【請求項４】
前記第２期間における前記第２電極の電圧レベルと前記第３電圧レベルとの差異は、所定の期間内に前記被駆動素子に供給される駆動電流の積分量に対応する
請求項１から請求項３の何れかに記載の電子回路。
【請求項５】
前記第２期間における前記第２電極の電圧レベルと前記第３電圧レベルとの差異は、駆動電流または駆動電圧が前記被駆動素子に供給される時間長に対応する
請求項１から請求項３の何れかに記載の電子回路。
【請求項６】
信号線と、
前記信号線に接続された複数の単位回路と、
電圧供給線とを具備し、
前記複数の単位回路のうちのひとつの単位回路は、
ゲート端子と第１端子と前記電圧供給線に接続された第２端子と前記第１端子および前記第２端子の間に形成されたチャネルとを備えた駆動トランジスタと、
被駆動素子と、
前記駆動トランジスタの前記ゲート端子と前記第１端子および前記第２端子の何れか一方との電気的な接続を制御するスイッチング素子と、
前記駆動トランジスタの前記ゲート端子に接続された第１電極と前記信号線に接続された第２電極とを備える容量素子とを含み、
前記第１端子と前記第２端子との導通状態は、前記ゲート端子に印加されるゲート電圧によって制御され、
前記スイッチング素子がオフ状態である期間の少なくとも一部である第１期間において、前記信号線に第１信号が供給されることによって前記ゲート電圧の電圧レベルは第１電圧レベルから第２電圧レベルに変化し、
前記信号線に第２信号が供給される期間の少なくとも一部である第２期間において、前記スイッチング素子はオン状態に設定され、
前記第２期間の少なくとも一部において、前記ゲート電圧の電圧レベルは第３電圧レベルに設定される
ことを特徴とする電子装置。
【請求項７】
前記電圧供給線の電位を複数の電位に設定するための電圧制御回路をさらに具備する
請求項６に記載の電子装置。
【請求項８】
前記電圧供給線と所定の電位との電気的な接続を制御するための電圧制御回路をさらに具備する
請求項６に記載の電子装置。
【請求項９】
前記第２電極は前記信号線に対して直接に接続される
請求項６から請求項８の何れかに記載の電子装置。
【請求項１０】
前記第１期間と前記第２期間とを含む設定期間の経過後の駆動期間においては、前記スイッチング素子がオフ状態となることで前記第１電極はフローティング状態に設定されるとともに、経時的に変化する制御信号が前記第２電極に供給される
請求項６から請求項９の何れかに記載の電子装置。
【請求項１１】
前記設定期間の少なくとも一部にて前記電圧供給線の電圧を前記第１端子よりも低位の第１電圧値に設定し、前記駆動期間の少なくとも一部にて前記電圧供給線の電圧を前記第１端子よりも高位の第２電圧値に設定する
ことを特徴とする請求項１０に記載の電子装置。
【請求項１２】
前記スイッチング素子は、スイッチングトランジスタであり、
前記単位回路に含まれるトランジスタは、前記駆動トランジスタおよび前記スイッチングトランジスタのみである
請求項６から請求項１１の何れかに記載の電子装置。
【請求項１３】
請求項６から請求項１２の何れかに記載の電子装置を具備する電子機器。
【請求項１４】
信号線と、
前記信号線に接続された単位回路と、
電圧供給線とを具備し、
前記単位回路は、
ゲート端子と第１端子と前記電圧供給線に接続された第２端子と前記第１端子および前記第２端子の間に形成されたチャネルとを備えた駆動トランジスタと、
電気光学素子と、
前記駆動トランジスタの前記ゲート端子と前記第１端子および前記第２端子の何れか一方との電気的な接続を制御するスイッチング素子と、
前記駆動トランジスタの前記ゲート端子に接続された第１電極と前記信号線に接続された第２電極とを備える容量素子とを含み、
前記第１端子と前記第２端子との導通状態は、前記ゲート端子に印加されるゲート電圧によって制御され、
前記スイッチング素子がオフ状態である期間の少なくとも一部である第１期間において、前記信号線に第１信号が供給されることによって前記ゲート電圧の電圧レベルは第１電圧レベルから第２電圧レベルに変化し、
前記信号線に第２信号が供給される期間の少なくとも一部である第２期間において、前記スイッチング素子はオン状態に設定され、
前記第２期間の少なくとも一部において、前記ゲート電圧の電圧レベルは第３電圧レベルに設定される
ことを特徴とする電気光学装置。
【請求項１５】
信号線に接続された単位回路が、ゲート端子と第１端子と電圧供給線に接続された第２端子と前記第１端子および前記第２端子の間に形成されたチャネルとを備えた駆動トランジスタと、被駆動素子と、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを具備し、前記第１端子と前記第２端子との導通状態が、前記ゲート端子に印加されるゲート電圧によって制御される電子装置の駆動方法であって、
前記スイッチング素子がオフ状態である期間の少なくとも一部である第１期間において、前記信号線に第１信号を供給されることによって前記ゲート電圧の電圧レベルを第１電圧レベルから第２電圧レベルに変化させ、
前記信号線に第２信号を供給する期間の少なくとも一部である第２期間において、前記スイッチング素子をオン状態に設定し、前記第２期間の少なくとも一部において、前記ゲート電圧の電圧レベルを第３電圧レベルに設定する
ことを特徴とする電子装置の駆動方法。
【発明の詳細な説明】
【技術分野】
【０００１】
本発明は、有機発光ダイオード（以下「ＯＬＥＤ（Organic Light Emitting Diode）」という）素子、液晶素子、電気泳動素子、エレクトロクロミック（Electrochromic）素子、電子放出素子、抵抗素子など各種の被駆動素子を制御する技術に関する。
【背景技術】
【０００２】
各種の被駆動素子を駆動するための様々な技術が従来から提案されている。例えば特許文献１には、ＯＬＥＤ素子を被駆動素子として含む複数の単位回路を面状に配列した構成が開示されている。各単位回路は、ＯＬＥＤ素子に供給される電流をゲートの電圧に応じて制御する駆動トランジスタと、駆動トランジスタをダイオード接続するためのリセットトランジスタと、ＯＬＥＤ素子への電流の供給の可否を切り替える発光制御トランジスタとを含む。特許文献１の構成によれば、各単位回路における駆動トランジスタの閾値電圧の誤差（バラツキ）を補償することが可能である。
【特許文献１】特開２００３−１２２３０１号公報（図１）
【発明の開示】
【発明が解決しようとする課題】
【０００３】
ところで、ひとつの単位回路を構成するトランジスタの総数は少ないことが望ましい。トランジスタの総数が多いほど単位回路の構成が複雑化して製造コストが増大するからである。また、単位回路を画素として利用した電気光学装置においてはトランジスタの総数が多いほど開口率が低下するという問題もある。しかし、各単位回路のトランジスタの総数を削減するのは困難である。例えば、特許文献１の構成において、単位回路にデータを書込む期間にてＯＬＥＤ素子を消灯させるためには、発光制御トランジスタを省略することはできない。本発明のひとつの形態は、例えば各単位回路の構成を簡素化するために有効である。
【課題を解決するための手段】
【０００４】
本発明のひとつの形態に係る電子回路は、駆動電圧または駆動電流が供給される被駆動素子を駆動する電子回路であって、信号線と、前記信号線に接続された単位回路と、電圧供給線とを具備し、前記単位回路は、ゲート端子と第１端子と前記電圧供給線に接続された第２端子と前記第１端子および前記第２端子の間に形成されたチャネルとを備えた駆動トランジスタと、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを含み、前記第１端子と前記第２端子との導通状態は、前記ゲート端子に印加されるゲート電圧によって制御され、前記スイッチング素子がオフ状態である期間の少なくとも一部である第１期間（例えば図２における期間Ｐ1の前半期間）において、前記信号線に第１信号（例えば図２や図８の電圧Ｖ0）が供給されることによって前記ゲート電圧の電圧レベルは第１電圧レベルから第２電圧レベルに変化し、前記信号線に第２信号が供給される期間の少なくとも一部である第２期間（例えば図２における期間Ｐ2の前半期間）において、前記スイッチング素子はオン状態に設定され、前記第２期間の少なくとも一部において、前記ゲート電圧の電圧レベルは第３電圧レベルに設定される。例えば、前記ゲート電圧の電圧レベルが前記第２電圧レベルに設定された後に前記スイッチング素子がオン状態とされることにより、前記ゲート電圧は前記第３電圧レベルに変化する。
【０００５】
なお、第１信号としては、例えば第２信号とは別個に生成された信号が使用される。また、第１信号の前に信号線に供給される第２信号（例えば直前にデータが書き込まれる他の単位回路に供給される第２信号）や第１信号の後に供給される第２信号に応じて第１信号が設定される構成も採用される。また、データの書込に先立って信号線を充放電するプリチャージ信号を第１信号として兼用してもよい。なお、駆動トランジスタのゲート端子を閾値電圧に応じた電圧に初期化することで駆動トランジスタの閾値電圧の誤差を補償する構成においては、当該初期化に先立って、駆動トランジスタを確実にオン状態とするような信号を第１信号として供給することが望ましい。
【０００６】
本発明の好適な態様において、前記ゲート電圧が前記第２電圧レベルとされるときの前記第１端子と前記第２端子との間の導通状態は、前記ゲート電圧が前記第１電圧レベルとされるときの前記第１端子と前記第２端子との間の導通状態よりも高い（すなわちオン状態に近い）導通状態である。以上の態様によれば、ゲート電圧が第３電圧レベルに設定される前に第１端子と第２端子との間が高い導通状態に設定されるから、ノイズなどの外乱に起因して駆動トランジスタのゲート電圧が変動する影響を抑制して安定的な動作が実現される。
【０００７】
さらに具体的な態様において、前記第２期間における前記第２電極の電圧レベルと前記第３電圧レベルとの差異は、所定の期間内に前記被駆動素子に供給される駆動電流の積分量に対応する。なお、所定の期間は任意に設定されるが、例えば、(1)１垂直走査期間、(2)単位回路にデータ線が供給されてから次のデータ信号が当該単位回路に供給されるまでの期間、(3)ひとつの階調の表現が完結する１フレーム期間などである。
【０００８】
本発明の好適な態様において、被駆動素子は、第２期間における第２電極の電圧レベルと前記第３電圧レベルとの差異に応じた状態に駆動される。例えば、所定の期間内に被駆動素子に供給される駆動電流の積分量は、第２期間における第２電極の電圧レベルと前記第３電圧レベルとの差異に応じて設定される。換言すると、駆動電流または駆動電圧が前記被駆動素子に供給される時間長は、第２期間における第２電極の電圧レベルと前記第３電圧レベルとの差異に応じて設定される。
【０００９】
以上の各形態に係る電子回路を具備する電子装置としても本発明は特定される。本発明のひとつの態様に係る電子装置は、信号線と、前記信号線に接続された複数の単位回路と、電圧供給線とを具備し、前記複数の単位回路のうちのひとつの単位回路は、ゲート端子と第１端子と前記電圧供給線に接続された第２端子と前記第１端子および前記第２端子の間に形成されたチャネルとを備えた駆動トランジスタと、被駆動素子と、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを含み、前記第１端子と前記第２端子との導通状態は、前記ゲート端子に印加されるゲート電圧によって制御され、前記スイッチング素子がオフ状態である期間の少なくとも一部である第１期間において、前記信号線に第１信号が供給されることによって前記ゲート電圧の電圧レベルは第１電圧レベルから第２電圧レベルに変化し、前記信号線に第２信号が供給される期間の少なくとも一部である第２期間において、前記スイッチング素子はオン状態に設定され、前記第２期間の少なくとも一部において、前記ゲート電圧の電圧レベルは第３電圧レベルに設定される。以上の構成によっても、本発明の具体的な態様に係る電子回路と同様の作用および効果が奏される。なお、第１信号は、例えば、複数の単位回路のうちの前記ひとつの単位回路とは異なる他の単位回路に供給されるデータ信号であってもよい。
【００１０】
以上の態様に係る電子装置においては、前記電圧供給線の電位を複数の電位に設定するための電圧制御回路（例えば図１の電圧制御回路２７）や、前記電圧供給線と所定の電位との電気的な接続を制御するための電圧制御回路（例えば図７のスイッチＳＷ0）がさらに設けられる。
【００１１】
以上の各態様に係る電子装置は各種の電子機器に利用される。電子機器の典型例は、電子装置を表示装置として利用した機器である。この種の電子機器としては、パーソナルコンピュータや携帯電話機などがある。もっとも、本発明に係る電子装置の用途は画像の表示に限定されない。例えば、光線の照射によって感光体ドラムなどの像担持体に潜像を形成するための露光装置（露光ヘッド）としても本発明の電子装置を適用することができる。
【００１２】
本発明のひとつの形態に係る電子装置は、信号線と、前記信号線に接続された単位回路と、電圧供給線とを具備し、前記単位回路は、ゲート端子と第１端子と前記電圧供給線に接続された第２端子とを備え、前記第１端子と前記第２端子との間の導通状態が前記ゲート端子の電圧に応じて設定される駆動トランジスタと、被駆動素子と、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを含み、前記信号線に対するデータ電圧の供給に応じて前記ゲート端子の電圧を設定することで、前記第１端子と前記第２端子との間の導通状態に対応したレベルの駆動電流および駆動電圧の少なくとも一方を前記被駆動素子に供給し、前記スイッチング素子は、少なくとも第１期間と第２期間とにおいてオン状態となり、前記第１期間において、前記信号線には所定の電圧（例えば図２や図８の電圧Ｖ0）が供給され、当該供給に伴なう前記ゲート端子の電圧の変動によって前記駆動トランジスタはオン状態となり、前記第２期間において、前記信号線には前記データ電圧が供給される。
【００１３】
以上の各態様に係る電子装置においては、信号線と第２電極との間に両者の電気的な接続を制御する（信号線の電圧を第２電極に供給するか否かを切り替える）ためのスイッチング素子を配置してもよいが、単位回路の簡素化を促進するという観点からすると、第２電極は信号線に対して直接に（すなわちスイッチング素子を介在させることなく）接続されていることが望ましい。
【００１４】
本発明の好適な態様においては、前記第１期間と前記第２期間とを含む設定期間の経過後の駆動期間にて、前記スイッチング素子がオフ状態となることで前記第１電極がフローティング状態に設定されるとともに、経時的に変化する制御電圧が前記第２電極に供給される。第１電極の電圧（すなわち駆動トランジスタのゲート端子の電圧）は、容量素子における容量カップリングによって、データ電圧と制御電圧との差分値に応じて変動する。したがって、本態様によれば、データ電圧に応じた時間長にわたって被駆動素子を駆動することができる。
なお、以上の態様の駆動回路において、データ電圧を単位回路に供給する回路と制御電圧を単位回路に供給する回路とは、相互に離間した別個の回路として電子装置に実装されてもよいし、双方が単一の回路（例えばＩＣチップ）に搭載された形態で電子装置に実装されてもよい。また、制御電圧を単位回路に供給するための配線として信号線が兼用される構成としてもよいし、信号線とは別個の配線を介して制御電圧が単位回路に供給される構成としてもよい。
【００１５】
さらに具体的な態様においては、前記設定期間の少なくとも一部にて前記電圧供給線の電圧が前記第１端子よりも低位の第１電圧値に設定され、前記駆動期間の少なくとも一部にて前記電圧供給線の電圧が前記第１端子よりも高位の第２電圧値に設定される。以上の態様においては、設定期間の少なくとも一部において電圧供給線の電圧が第１端子よりも低位の第１電圧値に設定されるから、電圧供給線の電圧が第２電圧値に設定される構成と比較して、設定期間にて被駆動素子に付与される電気エネルギ（被駆動素子に供給される駆動電流または駆動電圧）が低減される。したがって、被駆動素子に対する電気エネルギの付与の可否を制御するためのスイッチング素子（例えば特許文献１における「発光制御トランジスタ」）が配置されていなくても、原理的には設定期間内における被駆動素子への電気エネルギの供給を抑制（理想的には停止）することができる。ただし、発光制御トランジスタが原理的に不要であるとは言っても、この発光制御トランジスタが配置された構成を本発明の範囲から除外する趣旨ではない。すなわち、本発明の構成にあっても、被駆動素子が駆動される期間をより確実に規定することを目的として、特許文献１の発光制御トランジスタのように、被駆動素子に対する電気エネルギの付与の可否を制御するためのスイッチング素子が配置されてもよい。
【００１６】
ところで、単位回路を構成するトランジスタ（特に駆動トランジスタ）としては、例えば、各種の半導体材料（例えば、多結晶シリコン、微結晶シリコン、単結晶シリコンまたはアモルファスシリコン）からなる半導体層を含むトランジスタ（典型的には薄膜トランジスタ）を採用することができる。半導体層が例えばアモルファスシリコンで形成されたトランジスタは、これに流れる電流の方向が恒常的に固定されていると閾値電圧が経時的に変動していくことが知られている。本形態によれば、設定期間においては電流（例えば図５の電流Ｉ0）が第１端子から第２端子を経由して電圧供給線に流れ込む一方、駆動期間においては電流が第２端子から第１端子を経由して被駆動素子に供給される。すなわち、駆動トランジスタに流れる電流の方向が設定期間と駆動期間とで逆転するから、本形態によれば駆動トランジスタの半導体層がアモルファスシリコンからなる構成であっても、その閾値電圧の変動を抑制することができる。換言すると、駆動トランジスタの半導体層がアモルファスシリコンからなる構成に対して本形態は特に好適に採用されるということができる。
【００１７】
さらに他の態様において、前記スイッチング素子は、スイッチングトランジスタであり、前記単位回路に含まれるトランジスタは、前記駆動トランジスタおよび前記スイッチングトランジスタのみである。本態様によれば、単位回路に含まれるトランジスタが、駆動トランジスタとスイッチングトランジスタという２個のトランジスタに削減されるという利点がある。
【００１８】
以上の構成においては、駆動トランジスタのゲート端子と第１端子および第２端子の一方とがスイッチング素子を介して電気的に接続されることで駆動トランジスタや被駆動素子の閾値電圧の誤差が補償される一方、駆動トランジスタのゲートの電圧が、当該ゲートに容量素子を介して容量的に結合した信号線の電圧に応じた電圧値に設定される。したがって、極めて簡素な構成によって、駆動トランジスタや被駆動素子の閾値電圧の誤差を補償しながら被駆動素子を駆動することができる。さらに、第１期間において信号線に所定の電圧が供給されるから、第１期間の開始前における駆動トランジスタのゲートの電圧に拘わらず、駆動トランジスタは第１期間にてオン状態となる。したがって、ノイズなどの外乱に起因して駆動トランジスタのゲートの電圧が変動する影響を抑制して安定的な動作が実現される。
【００１９】
本発明における被駆動素子は、電気的に駆動される総ての要素を含む。被駆動素子の典型例は、電気エネルギの付与によって輝度や透過率といった光学的な性状（階調）が変化する電気光学素子である。本発明のひとつの形態に係る電気光学装置は、信号線と、前記信号線に接続された単位回路と、電圧供給線とを具備し、前記単位回路は、ゲート端子と第１端子と前記電圧供給線に接続された第２端子と前記第１端子および前記第２端子の間に形成されたチャネルとを備えた駆動トランジスタと、電気光学素子と、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを含み、前記第１端子と前記第２端子との導通状態は、前記ゲート端子に印加されるゲート電圧によって制御され、前記スイッチング素子がオフ状態である期間の少なくとも一部である第１期間において、前記信号線に第１信号が供給されることによって前記ゲート電圧の電圧レベルは第１電圧レベルから第２電圧レベルに変化し、前記信号線に第２信号が供給される期間の少なくとも一部である第２期間において、前記スイッチング素子はオン状態に設定され、前記第２期間の少なくとも一部において、前記ゲート電圧の電圧レベルは第３電圧レベルに設定される。以上の電気光学装置によっても、本発明に係る電子装置と同様の作用および効果が奏される。また、電子回路や電子装置について以上に列挙した各態様は、電気光学装置に対しても同様に適用される。
【００２０】
また、本発明のひとつの形態は、以上に説明した各形態に係る電子装置を駆動する方法である。ひとつの形態に係る駆動方法は、信号線に接続された単位回路が、ゲート端子と第１端子と電圧供給線に接続された第２端子と前記第１端子および前記第２端子の間に形成されたチャネルとを備えた駆動トランジスタと、被駆動素子と、前記駆動トランジスタの前記ゲート端子と前記第１端子および前記第２端子の何れか一方との電気的な接続を制御するスイッチング素子と、前記駆動トランジスタの前記ゲート端子に接続された第１電極と前記信号線に接続された第２電極とを備える容量素子とを具備し、前記第１端子と前記第２端子との導通状態が、前記ゲート端子に印加されるゲート電圧によって制御される電子装置の駆動方法であって、前記スイッチング素子がオフ状態である期間の少なくとも一部である第１期間において、前記信号線に第１信号を供給されることによって前記ゲート電圧の電圧レベルを第１電圧レベルから第２電圧レベルに変化させ、前記信号線に第２信号を供給する期間の少なくとも一部である第２期間において、前記スイッチング素子をオン状態に設定し、前記第２期間の少なくとも一部において、前記ゲート電圧の電圧レベルを第３電圧レベルに設定する。以上の方法によっても、本発明に係る電子装置と同様の作用および効果が奏される。また、電子装置について以上に列挙した各態様は、この駆動方法に対しても同様に適用される。
【発明を実施するための最良の形態】
【００２１】
＜Ａ：第１実施形態＞
図１は、本発明の第１実施形態に係る電子装置の構成を示すブロック図である。同図に例示される電子装置１００は、画像を表示するための装置として様々な電子機器に採用される電気光学装置であり、複数の単位回路Ｕが面状に配列された素子アレイ部１０と、各単位回路Ｕを駆動するための走査線駆動回路２３および信号線駆動回路２５と、各単位回路Ｕに電圧Ａを供給する電圧制御回路２７とを含む。なお、走査線駆動回路２３と信号線駆動回路２５と電圧制御回路２７とは、各々が別個の回路として電子装置１００に実装されてもよいし、これらの回路の一部または全部が単一の回路として電子装置１００に実装されてもよい。
【００２２】
図１に示すように、素子アレイ部１０には、Ｘ方向に延在するｍ本の走査線１３と、Ｘ方向に直交するＹ方向に延在するｎ本の信号線１５とが形成される（ｍおよびｎの各々は自然数）。各単位回路Ｕは、走査線１３と信号線１５との交差に対応した位置に配置される。したがって、これらの単位回路Ｕは縦ｍ行×横ｎ列のマトリクス状に配列する。
【００２３】
素子アレイ部１０には、各走査線１３と対をなしてＸ方向に延在するｍ本の電圧供給線１７が形成される。各電圧供給線１７は電圧制御回路２７の出力端に対して共通に接続される。したがって、電圧制御回路２７から出力される電圧Ａは、各電圧供給線１７を介して複数の単位回路Ｕに共通に供給される。
【００２４】
図２は、電子装置１００の動作を説明するためのタイミングチャートである。同図に示すように、各フレームＦは設定期間ＰSTと駆動期間ＰDRとを含む。ひとつの設定期間ＰSTは、単位回路Ｕの総行数（走査線１３の総本数）に相当するｍ個の単位期間ＰUを含む。さらに、ひとつの単位期間ＰUは第１期間Ｐ1と第２期間Ｐ2とを含む。
【００２５】
図２に示すように、電圧制御回路２７は、各電圧供給線１７に供給される電圧Ａを、設定期間ＰSTにて電圧値Ｖssに設定し、駆動期間ＰDRにて電圧値Ｖddに設定する。電圧値Ｖssは、各部で使用される電圧の基準となる電位（接地電位）である。電圧値Ｖddは、電圧値Ｖssよりも高位の電圧（例えば高位側の電源電位）である。
【００２６】
図１の走査線駆動回路２３は、設定期間ＰST内にｍ本の走査線１３の各々を順次に選択する（単位回路Ｕを行単位で選択する）ための回路である。さらに詳述すると、走査線駆動回路２３は、図２に示すように、設定期間ＰST内の各単位期間ＰUにて順番にハイレベルとなる走査信号Ｓ[1]〜Ｓ[m]を生成して各走査線１３に出力する。第ｉ行目（ｉは１≦ｉ≦ｍを満たす整数）の走査線１３に供給される走査信号Ｓ[i]は、設定期間ＰSTのうち第ｉ番目の単位期間ＰUの始点から所定の時間が経過した時点と当該単位期間ＰUの終点から所定の時間だけ手前の時点との間においてハイレベルとなり、それ以外の期間（駆動期間ＰDRを含む）にてローレベルを維持する。走査信号Ｓ[i]のハイレベルへの遷移が第ｉ行の選択を意味する。
【００２７】
信号線駆動回路２５は、各信号線１５にデータ信号Ｄ[1]〜Ｄ[n]を出力する。図２に示すように、第ｊ列目（ｊは１≦ｊ≦ｎを満たす整数）の信号線１５に供給されるデータ信号Ｄ[j]は、設定期間ＰST内の各単位期間ＰUにおける第１期間Ｐ1にて所定の電圧Ｖ0（詳細は後述する）に設定される。さらにデータ信号Ｄ[j]は、設定期間ＰSTのうち第ｉ番目の単位期間ＰU（すなわち第ｉ行が選択される単位期間ＰU）内の第２期間Ｐ2において、第ｉ行に属する第ｊ列目の単位回路Ｕに指定された階調に対応するデータ電圧Ｖ[i]となる。各単位回路Ｕの階調は、外部から指定される画像信号によって指定される。
【００２８】
一方、駆動期間ＰDRにおける総てのデータ信号Ｄ[1]〜Ｄ[n]は、電圧値が経時的に変化する制御電圧ＶCTに設定される。本形態における制御電圧ＶCTは、駆動期間ＰDRの中点ｔc（駆動期間ＰDRを２等分する時点）を基準として線対称となる三角波である。すなわち、制御電圧ＶCTは、図２に示すように、駆動期間ＰDRの始点から中点ｔcにかけて電圧値ＶLからこれよりも高位の電圧値ＶHまで時間の経過とともに直線的に上昇していき、中点ｔcから終点にかけて電圧値ＶHから時間の経過とともに直線的に低下して電圧値ＶLに到達する。
【００２９】
次に、図３を参照して、各単位回路Ｕの具体的な構成を説明する。なお、同図においては、第ｉ行に属する第ｊ列目のひとつの単位回路Ｕが代表的に図示されている。
【００３０】
図３に示すように、単位回路Ｕは、電気光学素子Ｅと駆動トランジスタＴDRとスイッチング素子ＳＷと容量素子Ｃとを含む。電気光学素子Ｅは、自身に供給される電流（以下「駆動電流」という）Ｉ1に応じた強度で発光する電流駆動型の発光素子である。本形態における電気光学素子Ｅは、相対向する陽極と陰極との間に有機ＥＬ（Electroluminescence）材料の発光層を介在させたＯＬＥＤ素子である。各単位回路Ｕにおける電気光学素子Ｅの陰極は接地（電圧値Ｖss）される。
【００３１】
図３の駆動トランジスタＴDRは、駆動電流Ｉ1の電流値を制御するためのｎチャネル型のトランジスタである。より具体的には、駆動トランジスタＴDRは、ゲートとソースとドレインとソース−ドレイン間のチャネルとを含む能動素子であり、ソースとドレインとの電気的な導通状態がゲートの電圧Ｖgに応じて変化することで、電圧Ｖgに応じた電流値の駆動電流Ｉ1を生成する。したがって、電気光学素子Ｅは、駆動トランジスタＴDRのゲートの電圧Ｖgに応じた輝度で発光する。
【００３２】
なお、本形態において駆動トランジスタＴDRのソースおよびドレインの各々の電圧値の高低は順次に逆転するため、厳密な意味では駆動トランジスタＴDRのドレインとソースとは随時に入れ替わる。しかし、以下では説明の便宜のために、電気光学素子Ｅに駆動トランジスタＴDRを介して駆動電流Ｉ1が供給されるときの駆動トランジスタＴDRの各端子の電圧の高低を基準として、駆動トランジスタＴDRのうち電気光学素子Ｅ側の端子を「ソース（Ｓ）」と表記するとともにその反対側の端子を「ドレイン（Ｄ）」と表記する。
【００３３】
駆動トランジスタＴDRは電気光学素子Ｅと電圧供給線１７との間に介在する。すなわち、駆動トランジスタＴDRのドレインは電圧供給線１７に接続され、ソースは電気光学素子Ｅの陽極に接続される。駆動トランジスタＴDRのソースは電気光学素子Ｅに対して直接的に接続される。つまり、駆動トランジスタＴDRのソースから電気光学素子Ｅの陽極に至る駆動電流Ｉ1の経路上には如何なるスイッチング素子も介在しない。
【００３４】
スイッチング素子ＳＷは、駆動トランジスタＴDRのゲートとソースとの間に介在して両者の電気的な接続を制御するｎチャネル型のトランジスタである。このスイッチング素子ＳＷのゲートは走査線１３に接続される。したがって、走査信号Ｓ[i]がハイレベルに遷移するとスイッチング素子ＳＷがオン状態に変化して駆動トランジスタＴDRがダイオード接続され、走査信号Ｓ[i]がローレベルに遷移するとスイッチング素子ＳＷがオフ状態となって駆動トランジスタＴDRのダイオード接続は解除される。
【００３５】
容量素子Ｃは、相互に対向する第１電極Ｅ1および第２電極Ｅ2と、両電極の間隙に介在する誘電体とを含む。第１電極Ｅ1は駆動トランジスタＴDRのゲートに接続される。第２電極Ｅ2は信号線１５に対して直接的に接続される（すなわち第２電極Ｅ2と信号線１５との間にスイッチング素子は介在しない）。容量素子Ｃは、第１電極Ｅ1と第２電極Ｅ2との電位差（すなわち信号線１５と駆動トランジスタＴDRのゲートとの電位差）に応じた電荷を保持するための手段である。
【００３６】
次に、図４および図５を参照しながら電子装置１００の具体的な動作を説明する。以下では、第ｉ行に属する第ｊ列目の単位回路Ｕの動作を、設定期間ＰSTのひとつの単位期間ＰU（第１期間Ｐ1および第２期間Ｐ2）と駆動期間ＰDRとに区分して説明する。
【００３７】
（ａ）設定期間ＰST（図４）  
図２に示すように、単位期間ＰUの始点から走査信号Ｓ[i]がハイレベルに変化するまでの期間においては、スイッチング素子ＳＷがオフ状態を維持することで容量素子Ｃの第１電極Ｅ1はフローティング状態となる。したがって、第１期間Ｐ1の始点にてデータ信号Ｄ[j]が電圧Ｖ0に上昇すると、容量素子Ｃを介して信号線１５に容量的に結合する駆動トランジスタＴDRのゲートの電圧Ｖgは、データ信号Ｄ[j]の電圧の変動に応じて上昇する。以上のようにゲートの電圧Ｖgが上昇することで駆動トランジスタＴDRはオン状態となる。すなわち、データ信号Ｄ[j]の電圧Ｖ0は、第１期間Ｐ1の始点におけるゲートの電圧Ｖgに拘わらず第１期間Ｐ1内にて駆動トランジスタＴDRがオン状態となるように充分に高い電圧値に設定される。なお、設定期間ＰSTにおいて電圧供給線１７の電圧Ａは電圧値Ｖssに維持されるから、駆動トランジスタＴDRがオン状態に遷移しても電気光学素子Ｅに駆動電流Ｉ1は供給されない。
【００３８】
次いで、走査信号Ｓ[i]がハイレベルに遷移すると、スイッチング素子ＳＷがオン状態となって駆動トランジスタＴDRがダイオード接続される。第１期間Ｐ1の始点にてデータ信号Ｄ[j]が電圧Ｖ0に上昇することで駆動トランジスタＴDRのゲートは電圧供給線１７の電圧Ａ（電圧値Ｖss）よりも高位となるから、図４に示すように、駆動トランジスタＴDRのゲートからスイッチング素子ＳＷおよび駆動トランジスタＴDRのソースおよびドレインを以上の順番に経由した電流Ｉ0が電圧供給線１７に流れ込む。以上のように駆動トランジスタＴDRに電流Ｉ0が流れると、駆動トランジスタＴDRのゲートの電圧Ｖgは、電圧値Ｖssと駆動トランジスタＴDRの閾値電圧Ｖth_TRとの加算値（Ｖss＋Ｖth_TR）に収束する。
【００３９】
一方、第２期間Ｐ2の始点においては、駆動トランジスタＴDRのダイオード接続が維持された状態でデータ信号Ｄ[j]が電圧Ｖ0からデータ電圧Ｖ[i]に変更される。以上のような電圧の関係が維持されたまま第２期間Ｐ2の途中の時点で走査信号Ｓ[i]がローレベルに遷移すると、スイッチング素子ＳＷがオフ状態となって容量素子Ｃの第１電極Ｅ1はフローティング状態となる。したがって、図４に示すように、走査信号Ｓ[i]がローレベルに遷移した時点における第１電極Ｅ1の電圧（Ｖss＋Ｖth_TR）と第２電極Ｅ2の電圧（Ｖ[i]）との差分値が容量素子Ｃに保持される。すなわち、データ電圧Ｖ[i]が容量素子Ｃに書き込まれる。
【００４０】
設定期間ＰSTにおいては、以上のようにデータ電圧Ｖ[i]と閾値電圧Ｖth_TRとに応じた電荷を容量素子Ｃに蓄積するための動作が第１行目から第ｎ行目の各単位回路Ｕについて単位期間ＰUごとに順番に実行される。なお、Ｙ方向に配列する各単位回路Ｕの第２電極Ｅ2は共通の信号線１５に接続されるから、設定期間ＰSTにて容量素子Ｃにデータ電圧Ｖ[i]の書込が完了した単位回路Ｕであっても、第２電極Ｅ2の電圧は他の単位回路Ｕに対する書込に伴なって随時に変動する。しかし、データ電圧Ｖ[i]の書込が完了した単位回路Ｕにおいては、スイッチング素子ＳＷがオフ状態に設定されることで第１電極Ｅ1がフローティング状態を維持するから、第１電極Ｅ1の電圧は第２電極Ｅ2の電圧の変動分だけ随時に変動する。したがって、容量素子Ｃの電圧は、第２電極Ｅ2の電圧の変動に拘わらず、設定期間ＰSTにて設定された電圧に維持される。
【００４１】
ところで、様々な外乱（例えばノイズ）によって駆動トランジスタＴDRのゲートの電圧Ｖgが電圧値Ｖss以下に低下する場合がある。いま、第２期間Ｐ2に先立ってデータ信号Ｄ[j]を電圧Ｖ0まで上昇させないとすれば、設定期間ＰSTの開始前に電圧Ｖgが偶発的に電圧Ｖss以下に低下した場合に、駆動トランジスタＴDRをダイオード接続しても電流Ｉ0が発生しない。したがって、電圧Ｖgは閾値電圧Ｖth_TRに応じた電圧値に収束せず、電気光学素子Ｅが所期の状態に駆動されないという問題がある。本形態においては、ゲートの電圧Ｖgが電圧Ｖss以下に低下している場合であっても、第２期間Ｐ2に先立ってデータ信号Ｄ[j]を電圧Ｖ0に上昇させることで第２期間Ｐ2においては駆動トランジスタＴDRを確実にオン状態に遷移させることが可能である。したがって、ノイズなどの外乱の影響を低減して安定的な動作が実現されるという利点がある。
【００４２】
（ｂ）駆動期間ＰDR（図５）  
駆動期間ＰDRにおいて走査信号Ｓ[1]〜Ｓ[m]はローレベルを維持するから、総ての単位回路Ｕのスイッチング素子ＳＷはオフ状態となって駆動トランジスタＴDRのダイオード接続は解除される。したがって、総ての単位回路Ｕにおける容量素子Ｃの第１電極Ｅ1はフローティング状態を維持する。一方、駆動期間ＰDRにおいて、電圧制御回路２７は、電圧供給線１７の電圧Ａを電圧値Ｖddに維持する。
【００４３】
以上の状況において、各単位回路Ｕの容量素子Ｃの第２電極Ｅ2には、経時的に変化する制御電圧ＶCTが各信号線１５を介して供給される。第１電極Ｅ1はフローティング状態となっているから、駆動トランジスタＴDRのゲートの電圧Ｖg（すなわち第１電極Ｅ1の電圧）は、第２電極Ｅ2の電圧の変動に応じた電圧値ΔＶだけ変化する。第１電極Ｅ1の電圧の変化と駆動電流Ｉ1との関係について詳述すると以下の通りである。
【００４４】
まず、駆動期間ＰDRにて第２電極Ｅ2に印加される制御電圧ＶCTが、直前の設定期間ＰSTにて印加されていたデータ電圧Ｖ[i]よりも高位になると、駆動トランジスタＴDRのゲートの電圧Ｖgは、設定期間ＰSTにて設定された電圧値（Ｖss＋Ｖth_TR）から、制御電圧ＶCTとデータ電圧Ｖ[i]との差分に相当する電圧値ΔＶだけ上昇する。これによって駆動トランジスタＴDRはオン状態（導通状態）となるから、図５に示すように、駆動電流Ｉ1が電圧供給線１７から駆動トランジスタＴDRを経由して電気光学素子Ｅに供給される。そして、この駆動電流Ｉ1の供給によって電気光学素子Ｅは発光する。
【００４５】
一方、駆動期間ＰDRにて第２電極Ｅ2に印加される制御電圧ＶCTが、直前の設定期間ＰSTにて印加されていたデータ電圧Ｖ[i]よりも低位になると、駆動トランジスタＴDRのゲートの電圧Ｖgは、設定期間ＰSTにて設定された電圧値（Ｖss＋Ｖth_TR）から、データ電圧Ｖ[i]と制御電圧ＶCTとの差分に相当する電圧値ΔＶだけ下降する。このとき駆動トランジスタＴDRはオフ状態（非導通状態）となるから、電圧供給線１７から電気光学素子Ｅに至る経路が遮断されて電気光学素子Ｅは消灯する。
【００４６】
このように、駆動期間ＰDRにおける各単位回路Ｕの駆動トランジスタＴDRは、制御電圧ＶCTがデータ電圧Ｖ[i]よりも高位となる期間にてオン状態となり、制御電圧ＶCTがデータ電圧Ｖ[i]よりも低位となる期間にてオフ状態となる。すなわち、各単位回路Ｕの電気光学素子Ｅは、駆動期間ＰDRのうちデータ電圧Ｖ[i]に応じた時間長の期間にて発光するとともに、駆動期間ＰDRの残余の期間にて消灯する。したがって、各電気光学素子Ｅは、データ電圧Ｖ[i]に応じた階調に制御される（パルス幅変調による階調制御）。
【００４７】
以上に説明したように、本形態においては、設定期間ＰSTにおいて駆動トランジスタＴDRのゲートの電圧Ｖgが閾値電圧Ｖth_TRに応じた電圧値に設定される。換言すると、駆動トランジスタＴDRは、閾値電圧Ｖth_TRの高低に拘わらず、導通状態と非導通状態との境界の状態に強制的に移行させられる。したがって、駆動期間ＰDRのうち駆動トランジスタＴDRがオン状態となって電気光学素子Ｅに駆動電流Ｉ1が供給される時間長はデータ電圧Ｖ[i]に応じて決定され、駆動トランジスタＴDRの閾値電圧Ｖth_TRには依存しない。すなわち、本形態によれば、駆動トランジスタＴDRの閾値電圧Ｖth_TRの誤差（設計値との相違）を補償して電気光学素子Ｅを高い精度で所期の階調に制御することができる。
【００４８】
また、本形態においては、ひとつの単位回路Ｕに含まれるトランジスタの総数は「２」である。したがって、駆動トランジスタＴDRの閾値電圧のバラツキを補償するためにひとつの単位回路あたり少なくとも３個のトランジスタが不可欠である特許文献１の構成と比較して、電子装置１００の構成の簡素化や製造コストの低減が実現され、さらには各単位回路Ｕの開口率（単位回路Ｕが分布する領域のうち電気光学素子Ｅからの放射光が出射する領域の割合）を増加させることができる。
【００４９】
ところで、単位回路Ｕを構成する各トランジスタ（特に駆動トランジスタＴDR）としては、例えば多結晶シリコン・微結晶シリコン・単結晶シリコンまたはアモルファスシリコンを半導体層の材料に採用した薄膜トランジスタや、バルクシリコンから形成されたトランジスタを採用することができる。これらのトランジスタのうち特に半導体層がアモルファスシリコンで形成されたトランジスタは、これに流れる電流の方向が恒常的に固定されていると閾値電圧Ｖth_TRが経時的に変動していくことが知られている。
【００５０】
本形態の構成のもとでは、駆動期間ＰDRにおいては駆動電流Ｉ1が駆動トランジスタＴDRのドレインからソースに向かって流れるのに対し、設定期間ＰSTにおいては図４のように電流Ｉ0がソースからドレインに向かって流れる。すなわち、駆動トランジスタＴDRに流れる電流の方向が設定期間ＰSTと駆動期間ＰDRとで逆転する。したがって、本形態によれば、半導体層がアモルファスシリコンからなる薄膜トランジスタを駆動トランジスタＴDRに採用した構成のもとで、閾値電圧Ｖth_TRの経時的な変動を抑制することができる。
【００５１】
＜Ｂ：第２実施形態＞
次に、本発明の第２実施形態について説明する。以下の各形態において作用や機能が第１実施形態と共通する要素については、以上と同じ符号を付して各々の詳細な説明を適宜に省略する。
【００５２】
第１実施形態においては、ひとつのフレームＦの総ての設定期間ＰSTにてデータ信号Ｄ[j]を電圧Ｖ0に上昇させる構成を例示したが、駆動トランジスタＴDRを導通させるためにデータ信号Ｄ[j]を電圧Ｖ0に設定する動作（以下「電圧設定処理」という）の周期は適宜に変更される。本形態においては、図６に示すように、電圧設定処理の対象となる行がフレームＦ（Ｆ1，Ｆ2，Ｆ3，……）ごとに変更される。すなわち、フレームＦ1においては第１行の各単位回路Ｕについてのみ電圧設定処理が実行され、フレームＦ2においては第２行の各単位回路Ｕについてのみ電圧設定処理が実行され、フレームＦ3においては第３行の各単位回路Ｕについてのみ電圧設定処理が実行されるといった具合である。
【００５３】
さらに詳述すると、図６に示すように、フレームＦ1のうち走査信号Ｓ[1]がハイレベルとなる単位期間ＰUにおいては、第１期間Ｐ1にてデータ信号Ｄ[j]が電圧Ｖ0に設定されるとともに第２期間Ｐ2にてデータ信号Ｄ[j]がデータ電圧Ｖ[1]に設定される。一方、フレームＦ1における他の単位期間ＰUにおいては、始点から終点までの全区間にわたってデータ信号Ｄ[j]がデータ電圧Ｖ[i]（Ｖ[2]，Ｖ[3]，……）に維持される。また、フレームＦ2においては、走査信号Ｓ[2]がハイレベルとなる単位期間ＰUの第１期間Ｐ1に限ってデータ信号Ｄ[j]が電圧Ｖ0に設定され、他の単位期間ＰUにおいてはデータ信号Ｄ[j]はデータ電圧Ｖ[i]を維持する。
【００５４】
以上に説明したように、本形態においては電圧設定処理の回数が第１実施形態と比較して削減されるから、信号線駆動回路２５にて消費される電力が低減されるという利点がある。また、データ信号Ｄ[j]の電圧を変動させる回数が削減されるから、データ信号Ｄ[j]の電圧の変動に起因したノイズの発生が抑制されるという利点もある。
【００５５】
なお、電圧設定処理の周期は以上の例示に限定されない。例えば、奇数番目のフレームでは奇数行目の各単位回路Ｕについて電圧設定処理を実行し、偶数番目のフレームでは偶数行目の各単位回路Ｕについて電圧設定処理を実行するといった構成も採用される。また、電圧設定処理が実行されないフレームを設定してもよい。例えば、ひとつまたは複数のフレームにおいて各単位回路Ｕについて電圧設定処理を実行すると、後続の所定数のフレームにおいては電圧設定処理を実行しないといった構成としてもよい。
【００５６】
＜Ｃ：第３実施形態＞
図７は、本発明の第３実施形態における単位回路Ｕの構成を示す回路図である。同図に示すように、本形態においては、ｐチャネル型のトランジスタが駆動トランジスタＴDRとして利用される。駆動トランジスタＴDRのソースは電圧供給線１７に接続され、ソースは電気光学素子Ｅの陽極に接続される。また、電圧供給線１７はスイッチＳＷ0を介して電圧制御回路２７に接続される。電圧制御回路２７は電圧Ｖddを各行のスイッチＳＷ0に出力する。
【００５７】
図８は、第ｉ行が選択される単位期間ＰUにおける走査信号Ｓ[i]とデータ信号Ｄ[j]と電圧Ａとの波形を示すタイミングチャートである。同図に示すように、単位期間ＰU内の第１期間Ｐ1においては、容量素子Ｃの第１電極Ｅ1がフローティング状態に維持されたまま（すなわち走査信号Ｓ[i]がローレベルにある段階で）、信号線１５のデータ信号Ｄ[j]が電圧Ｖ0に低下する。信号線１５に容量的に結合されたゲートの電圧Ｖgはデータ信号Ｄ[j]の変動に伴なって低下するから、駆動トランジスタＴDRはオン状態となる。すなわち、電圧Ｖ0は、第１期間Ｐ1の始点におけるゲートの電圧Ｖgに拘わらず第１期間Ｐ1内にて駆動トランジスタＴDRがオン状態となるように充分に低い電圧値に設定される。データ信号Ｄ[j]が第２期間Ｐ2内にてデータ電圧Ｖ[i]に設定される点は第１実施形態と同様である。
【００５８】
一方、図８に示すように、第ｉ番目の単位期間ＰUのうちデータ信号Ｄ[j]が電圧Ｖ0に低下してから走査信号Ｓ[i]がローレベルに遷移するまでの期間内においては、第ｉ行目のスイッチＳＷ0がオン状態に設定される。したがって、第ｉ行の各単位回路Ｕに供給される電圧Ａは電圧値Ｖddに設定される。駆動トランジスタＴDRはデータ信号Ｄ[j]の電圧の低下によってオン状態となっているから、電圧供給線１７から駆動トランジスタＴDRを経由して電気光学素子Ｅに電流が流れる。また、電圧Ａが電圧値Ｖddに設定されている期間内には、走査信号Ｓ[i]がハイレベルに遷移することで駆動トランジスタＴDRがダイオード接続される。そして、スイッチＳＷ0がオフ状態に遷移して電圧値Ｖddの電圧Ａの供給が停止すると、駆動トランジスタＴDRのドレインの電圧（さらにはゲートの電圧Ｖg）は、経時的に低下して電気光学素子Ｅの閾値電圧Ｖth_ELに収束する。したがって、走査信号Ｓ[i]がローレベルに遷移して第１電極Ｅ1がフローティング状態になると、駆動トランジスタＴDRのゲート（第１電極Ｅ1）の電圧Ｖg（Ｖth_EL）と第２電極Ｅ2の電圧Ｖ[i]との差分値が容量素子Ｃに保持されるとともに、電気光学素子Ｅの陽極の電圧が電圧Ｖth_ELに設定される。
【００５９】
駆動期間ＰDRにおいては全行のスイッチＳＷ0がオン状態に設定される。したがって、各単位回路Ｕに供給される電圧Ａは電圧値Ｖddに設定される。また、データ信号Ｄ[j]が制御電圧ＶCTに設定されることで、第１実施形態と同様に、駆動トランジスタＴDRの導通状態は直前の単位期間ＰUにおけるデータ電圧Ｖ[i]に応じて変化する。以上のような駆動トランジスタＴDRの動作に応じて電気光学素子Ｅの陽極の電圧が変化するから、電気光学素子Ｅはデータ電圧Ｖ[i]に応じた階調に制御される。駆動期間ＰDRの始点において電気光学素子Ｅの陽極の電圧は自身の閾値電圧Ｖth_ELに設定される。すなわち、駆動期間ＰDRにおいて電気光学素子Ｅの陽極の電圧は閾値電圧Ｖth_ELを起点として変動するから、本形態においては各電気光学素子Ｅの閾値電圧Ｖth_ELのバラツキを補償することが可能である。
【００６０】
以上に説明したように、本形態においては、第２期間Ｐ2に先立ってデータ信号Ｄ[j]を電圧Ｖ0に低下させることで、第１期間Ｐ1の始点におけるゲートの電圧Ｖgの高低に拘わらず駆動トランジスタＴDRが確実にオン状態に変化するから、データ電圧Ｖ[i]に応じた所期の電圧を容量素子Ｃに確実に保持させることが可能となる。したがって、第１実施形態と同様に、ノイズなどの外乱の影響を低減して安定的な動作が実現されるという利点がある。
【００６１】
＜Ｄ：変形例＞
以上の各形態には様々な変形を加えることができる。具体的な変形の態様を例示すれば以下の通りである。なお、以下の各態様を適宜に組み合わせてもよい。
【００６２】
（１）変形例１  
駆動期間ＰDRにおけるデータ信号Ｄ[1]〜Ｄ[n]の波形（制御電圧ＶCTの波形）は適宜に変更される。例えば、以上の各形態においては三角波を例示したが、制御電圧ＶCTの波形の対称性は必須ではない。例えば、ランプ波や鋸歯波（鋸波）やマルチランプ波（階段波）など様々な波形が制御電圧ＶCTとして採用される。また、電圧値が直線的に変化する波形だけでなく正弦波など曲線的に変化する波形を制御電圧ＶCTとして採用してもよい。
【００６３】
また、各実施形態においては駆動期間ＰDRにおける制御電圧ＶCTが三角波の１周期分の波形となる構成を例示したが、三角波や以上に例示したランプ波や鋸歯波など様々な単位波形の複数を駆動期間ＰDR内にて連続させた波形（すなわち電圧の上昇と下降とを複数回にわたって繰り返す波形）を制御電圧ＶCTに適用してもよい。すなわち、本発明の好適な態様においては、駆動期間ＰDR内にて時間の経過とともに電圧が変動する様々な波形が制御電圧ＶCTとして採用され得る。
【００６４】
（２）変形例２  
ＯＬＥＤ素子は電気光学素子の例示に過ぎない。本発明に適用される電気光学素子について、自身が発光する自発光型と外光の透過率を変化させる非発光型（例えば液晶素子）との区別や、電流の供給によって駆動される電流駆動型と電圧（駆動電圧）の印加によって駆動される電圧駆動型との区別は不問である。例えば、無機ＥＬ素子、フィールド・エミッション（ＦＥ）素子、表面導電型エミッション（ＳＥ：Surface-conduction Electron-emitter）素子、弾道電子放出（ＢＳ：Ballistic electron Surface emitting）素子、ＬＥＤ（Light Emitting Diode）素子、液晶素子、電気泳動素子、エレクトロクロミック素子など様々な電気光学素子を本発明に利用することができる。また、本発明は、バイオチップなどのセンシング装置にも適用される。本発明の被駆動素子とは、電気エネルギの付与によって駆動される総ての要素を含む概念であり、発光素子などの電気光学素子は被駆動素子の例示である。
【００６５】
＜Ｅ：応用例＞
次に、電子装置１００を利用した電子機器について説明する。
図９は、以上に説明した何れかの形態に係る電子装置１００を表示装置として採用したモバイル型のパーソナルコンピュータの構成を示す斜視図である。パーソナルコンピュータ２０００は、表示装置としての電子装置１００と本体部２０１０とを備える。本体部２０１０には、電源スイッチ２００１およびキーボード２００２が設けられている。この電子装置１００は電気光学素子ＥにＯＬＥＤ素子を利用しているので、視野角が広く見易い画面を表示できる。
【００６６】
図１０に、実施形態に係る電子装置１００を適用した携帯電話機の構成を示す。携帯電話機３０００は、複数の操作ボタン３００１およびスクロールボタン３００２、ならびに表示装置としての電子装置１００を備える。スクロールボタン３００２を操作することによって、電子装置１００に表示される画面がスクロールされる。
【００６７】
図１１に、実施形態に係る電子装置１００を適用した携帯情報端末（ＰＤＡ：Personal Digital Assistants）の構成を示す。情報携帯端末４０００は、複数の操作ボタン４００１および電源スイッチ４００２、ならびに表示装置としての電子装置１００を備える。電源スイッチ４００２を操作すると、住所録やスケジュール帳といった各種の情報が電子装置１００に表示される。
【００６８】
なお、本発明に係る電子装置（電気光学装置）が適用される電子機器としては、図９から図１１に示したもののほか、デジタルスチルカメラ、テレビ、ビデオカメラ、カーナビゲーション装置、ページャ、電子手帳、電子ペーパー、電卓、ワードプロセッサ、ワークステーション、テレビ電話、ＰＯＳ端末、プリンタ、スキャナ、複写機、ビデオプレーヤ、タッチパネルを備えた機器等などが挙げられる。また、本発明に係る電子装置の用途は画像の表示に限定されない。例えば、光書込み型のプリンタや電子複写機といった画像形成装置においては、用紙などの記録材に形成されるべき画像に応じて感光体を露光する書込みヘッドが使用されるが、この種の書込みヘッドとしても本発明の電子装置は利用される。本発明にいう単位回路とは、表示装置の画素を構成する回路（いわゆる画素回路）のほか、画像形成装置における露光の単位となる回路をも含む概念である。
【図面の簡単な説明】
【００６９】
【図１】第１実施形態に係る電子装置の構成を示すブロック図である。
【図２】電子装置の動作を説明するためのタイミングチャートである。
【図３】ひとつの単位回路の構成を示す回路図である。
【図４】設定期間における単位回路の様子を示す回路図である。
【図５】駆動期間における単位回路の様子を示す回路図である。
【図６】第２実施形態に係る電子装置の動作を説明するためのタイミングチャートである。
【図７】第３実施形態に係る単位回路の構成を示す回路図である。
【図８】電子装置の動作を説明するためのタイミングチャートである。
【図９】電子機器のひとつの形態（パーソナルコンピュータ）を示す斜視図である。
【図１０】電子機器のひとつの形態（携帯電話機）を示す斜視図である。
【図１１】電子機器のひとつの形態（携帯情報端末）を示す斜視図である。
【符号の説明】
【００７０】
１００……電子装置、Ｕ……単位回路、ＴDR……駆動スイッチング素子、ＳＷ……スイッチング素子、Ｃ……容量素子、Ｅ1……第１電極、Ｅ2……第２電極、Ｅ……電気光学素子、１３……走査線、１５……信号線、１７……電圧供給線、２３……走査線駆動回路、２５……信号線駆動回路、２７……電圧制御回路、Ａ……電圧供給線の電圧、Ｓ[i]……走査信号、Ｄ[j]……データ信号、Ｖ[i]……データ電圧、ＶCT……制御電圧、ＰST……設定期間、ＰDR……駆動期間。
【図１】
2008122748.tif 000003
【図２】
2008122748.tif 000004
【図３】
2008122748.tif 000005
【図４】
2008122748.tif 000006
【図５】
2008122748.tif 000007
【図６】
2008122748.tif 000008
【図７】
2008122748.tif 000009
【図８】
2008122748.tif 000010
【図９】
2008122748.tif 000011
【図１０】
2008122748.tif 000012
【図１１】
2008122748.tif 000013